(57)【要約】    【課題】  プリンタ本体に外付けで切断装置を装着することにより、用紙を自動的に切断する切断装置付きの携帯プリンタを提供する。【解決手段】  媒体供給部３１より繰り出された印字媒体３４を挟持して搬送するサーマルヘッド３６およびプラテンローラ５と、プラテンローラと協動して回動するワンウェイクラッチ６と、を備えたプリンタ本体２の発行口３５近辺に、可動刃７および固定刃８を備えた切断装置本体４を装着する。切断装置本体をプリンタ本体に装着した際、切断装置本体の可動刃がプリンタ本体のワンウェイクラッチに係合するとともに、プラテンローラの搬送逆方向Ｂの回転に協動して回転するワンウェイクラッチの搬送逆方向の回転により可動刃が進出して印字媒体を切断する。【選択図】  図３
2009214504.tif 000002
【特許請求の範囲】
【請求項１】
ロール状の印字媒体を装着する媒体供給部と、
前記媒体供給部より繰り出された印字媒体を挟持して搬送するサーマルヘッドおよびプラテンローラから成る印字部と、
前記プラテンローラと協動して回動するワンウェイクラッチと、
前記印字部下流に設けられた発行口と、を備えたプリンタ本体と、
前記プリンタ本体の発行口近辺に着脱自在に設けられるとともに、可動刃および固定刃を備えた切断装置本体と、から成る携帯プリンタであって、
前記切断装置本体を前記プリンタ本体の発行口近辺に装着した際、前記切断装置本体の可動刃が前記プリンタ本体のワンウェイクラッチに係合するとともに、前記プラテンローラの搬送逆方向の回転に協動して回転するワンウェイクラッチの搬送逆方向の回転により前記可動刃が進出して前記印字媒体を切断することを特徴とする携帯プリンタ。
【発明の詳細な説明】
【技術分野】
【０００１】
本発明は、携帯プリンタに関し、特に、外付けで切断装置を備えた切断装置付の携帯プリンタに関する。
【背景技術】
【０００２】
従来、携帯プリンタにあっては、ショルダーベルトを介して肩から下げ携帯するもの（例えば、特許文献１参照）、あるいは、腰ベルトにて支持して携帯するものが知られており（例えば、特許文献２参照）、ショルダーベルト、あるいは腰ベルトにて携帯・支持された状態で記録紙（ラベル）に所望の情報を印字して発行するとともに、発行口に形成された手切り用カッタにて装置（携帯プリンタ）の手前側に引きつつ記録紙（ラベル）を切断するようになっている。
従来の携帯プリンタの「プリンタ本体」を図５の要部拡大の概略側面図を参照して説明する。
携帯プリンタ３０は、媒体供給部３１と、印字部３２と、用紙センサ３３とを備えており、媒体供給部３１には、ロール状に巻回された印字媒体３４が回転可能に装着され、印字媒体３４は印字部３２を経て発行口３５へと繰り出されるようになっている。また、媒体供給部３１と印字部３２との間には用紙センサ３３が設けられており、この用紙センサ３３は、印字媒体３４の印字面とは反対の面（裏面）に施されたマーク（図示せず）に向けて光を照射する発光部３３ａ、および裏面にて反射した光を受光する受光部３３ｂとから構成され、受光した光量の変化に基づきマーク（図示せず）を検出することにより印字媒体３４の位置を検出するようになっている。印字部３２は、サーマルヘッド３６と、図示省略のモータに接続されたプラテンローラ３７を有し、このプラテンローラ３７とサーマルヘッド３６との間に印字媒体３４を挟持し図示省略のモータを介してプラテンローラ３７を回転させることによって印字媒体３４にサーマルヘッド３６にて印字を施しながら発行口３５へと繰り出すようになっており、発行口３５に繰り出された印字済の印字媒体３４は、発行口３５に形成された手切り用のカッタ３８にて切断する。発行口３５に繰り出され、手切り用のカッタ３８にて切断された印字媒体３４は、先端部が印字部３２に引き戻されて（「バックフィード」と称する）位置決めされ、次の印字を行うようになっている。
しかしながら、携帯プリンタの使用者が発行口３５から繰り出し・発行された印字媒体３４を手前側に引張って手切り用のカッタ３８にて「引き千切る」と、引張り力に抗しきれず印字媒体３４が引張り方向に引き出されて良好な切り口が形成されないばかりか、引き出された量が一定しないためバックフィード時の位置合わせ制御に時間が掛かるという問題があった。
また、携帯用プリンタ３０をガスや電気などのメータの検針用に使用したとき、「引き千切る」回数が多く、さらに、軍手などをしていると滑ることがあるため軍手を一旦外して「引き千切る」など操作者が負担になるという問題があった。
【０００３】
【特許文献１】特開２００３−３０５９２０号公報
【特許文献２】特開２００４−２７６４９０号公報
【発明の開示】
【発明が解決しようとする課題】
【０００４】
本発明は、上記の問題点に着目して成されたものであり、プリンタ本体に外付けで切断装置を装着することにより、用紙を自動的に切断する切断装置付きの携帯プリンタを提供することを課題とする。
【課題を解決するための手段】
【０００５】
本発明に係る断装置付きの携帯プリンタは、ロール状の印字媒体を装着する媒体供給部と、前記媒体供給部より繰り出された印字媒体を挟持して搬送するサーマルヘッドおよびプラテンローラから成る印字部と、前記プラテンローラと協動して回動するワンウェイクラッチと、前記印字部下流に設けられた発行口と、を備えたプリンタ本体と、前記プリンタ本体の発行口近辺に着脱自在に設けられるとともに、可動刃および固定刃を備えた切断装置本体と、から成る携帯プリンタであって、前記切断装置本体を前記プリンタ本体の発行口近辺に装着した際、前記切断装置本体の可動刃が前記プリンタ本体のワンウェイクラッチに係合するとともに、前記プラテンローラの搬送逆方向の回転に協動して回転するワンウェイクラッチの搬送逆方向の回転により前記可動刃が進出して前記印字媒体を切断することを特徴とする
【発明の効果】
【０００６】
本発明の切断装置付きの携帯プリンタは、切断装置本体をプリンタ本体の発行口近辺に装着した際、切断装置本体の可動刃がプリンタ本体のワンウェイクラッチに係合するとともに、プラテンローラの搬送逆方向の回転に協動してワンウェイクラッチが搬送逆方向に回転し、ワンウェイクラッチの回転を介して可動刃が進出して印字媒体を切断するため、切断装置本体側に電源を供給する必要も、単独で電源を設ける必要もなく、自動的に印字媒体の円滑な切断が図れるという効果がある。
【発明を実施するための最良の形態】
【０００７】
以下、本発明の携帯プリンタの一実施の形態を図１ないし図４に基づき説明する。
なお、以下において、先の背景技術と同様の部分は同一符号を付すに止め、詳説は省略する。
図１は、本発明の携帯プリンタ１の外観を示す概略斜視図である。
携帯プリンタ１のプリンタ本体２は、発行口３５を備え、ショルダーベルト３９にて携帯できるようになっており、印字媒体３４が発行される発行口３５の近辺には、後述する「切断装置本体」の装着用の嵌合孔３が設けられている。
【０００８】
次に、図２ないし図４に基づき、切断装置付きの携帯プリンタにつき説明する。
図２は、前記プリンタ本体２に対し外付けの切断装置本体４を取付けた状態を示す図１相当の概略斜視図、図３は、図２中、矢示ＩＩＩ方向より見た図４相当の要部拡大の概略側面図、図４は、切断装置本体４の要部拡大の概略斜視図である。
同図に示すように切断装置付きの携帯プリンタ１は、前記プリンタ本体２と、このプリンタ本体２に外付けで取付けた切断装置本体４とを備える。
主に、図３に示すように、プリンタ本体２は、媒体供給部３１と、サーマルヘッド３６およびプラテンローラ５を備える印字部３２と、用紙センサ３３とを備えている。
プラテンローラ５には、協動して回動するワンウェイクラッチ６が設けられており、このワンウェイクラッチ６は、サーマルヘッド３６との間に印字媒体３４を挟持したプラテンローラ５が印字媒体３４を発行口３５側に繰り出すべく搬送方向（矢示Ｆ方向）へ回転する際には回転せず、また、印字媒体３４の先端部をサーマルヘッド３６に位置決めすべく印字部３２側に逆搬送する、いわゆるバックフィード（矢示Ｂ方向）時には協動して回転するようになっている。なお、ワンウェイクラッチ６としては、ラチェット機構の「ギア」を例に説明する。
【０００９】
また、切断装置本体４は、主に、可動刃７と、固定刃８と、バネなどの付勢手段９、および切断発行口１０を備え、切断装置筐体１１にて覆われている。
可動刃７は、主に、図４に示すように、「切断刃」が形成されたプレート状の可動刃プレート部７ａと、一対の脚部７ｂ、７ｂとを備え、脚部７ｂ、７ｂは、前記装着用の嵌合孔３（図１参照）の内、ショルダーベルト３９側の嵌合孔３に挿通してプリンタ本体２側に伸延するとともに、プリンタ本体２の内部に挿通した前記脚部７ｂの先端部７ｃはワンウェイクラッチ６の歯車の歯底と係合している。なお、脚部７ｂの前記先端部７ｃは、前記ワンウェイクラッチ６の歯車の歯底の形状に沿うよう、斜めに切り欠かれた「斜面部」となっている。
固定刃８は、前記可動刃７に対峙して切断装置筐体１１に固定されて設けられており、可動刃７と固定刃８が交差して噛み合うことにより印字媒体３４が切断されるようになっている。
バネ９は、可動刃７の脚部７ｂと切断装置筐体１１との間に介在し、脚部７ｂを固定刃８より離す方向（図３および図４における右側）に常時付勢することにより、先端部７ｃの「斜面部」の形状と相俟ってワンウェイクラッチ６の歯車の歯底、かつ歯元の面に脚部７ｂを押し付けて係合するとともに、可動刃７との間に印字媒体３４を繰り出すための隙間を生じさせるようになっている。
なお、前記プリンタ本体２の嵌合孔３に対応する切断装置本体４側には嵌合突起部１２が形成されており、前記嵌合孔３と嵌合突起部１２とを嵌着することによりプリンタ本体２に対し切断装置本体４を装着でき、また、切断装置本体４が不要なときは、前記嵌合孔３と嵌合突起部１２との嵌着を解いてプリンタ本体２より切断装置本体４を取外せば、従来と同様、プリンタ本体２のみで「携帯プリンタ」としての携帯・使用が可能である。
【００１０】
上記のような切断装置付き携帯プリンタ１の使用状態を説明する。
主に図３に示すように、媒体供給部３１に装着した印字媒体３４を手で引張りプラテンローラ５およびサーマルヘッド３６の間に挟持してプリンタ本体２の発行口３５近辺に繰り出す。
次いで、印字媒体３４を印字・発行すべく図示省略の電源をＯＮにすると、プラテンローラ５が搬送方向（矢示Ｆ方向）に回転して印字媒体３４を一端、切断装置本体４側に搬送、すなわち、印字媒体３４の裏面に施されたマーク（図示せず）を用紙センサ３３にて検出しながら搬送方向（矢示Ｆ方向）に印字媒体３４を繰り出す。このとき、切断装置本体４による印字媒体３４の切断は発生しない。すなわち、ワンウェイクラッチ６がプラテンローラ５と協働して搬送方向（矢示Ｆ方向）に回転するが、ワンウェイクラッチ６と係合する可動刃７の脚部７ｂは、先端部７ｃがワンウェイクラッチ６の歯車の歯底の形状に沿った「斜面部」を呈しており、しかもバネ９により歯元の面に付勢されているため、滑ることで係合しないものである。
なお、搬送方向（矢示Ｆ方向）に繰り出された印字媒体３４は、切断装置本体４の切断発行口１０より繰り出されるよう制御される。
用紙センサ３３によりマーク（図示せず）を検出すると、印字媒体３４の先端部をサーマルヘッド３６に位置決めするため、今度はプラテンローラ５を搬送逆方向（矢示Ｂ方向）に回転する。プラテンローラ５の搬送逆方向の回転により、プラテンローラ５およびサーマルヘッド３６の間に挟持された印字媒体３４は、搬送方向とは逆方向の搬送状態、いわゆる、バックフィード状態となるが、このとき、ワンウェイクラッチ６がプラテンローラ５と協働して搬送逆方向（矢示Ｂ方向）に回転し、ワンウェイクラッチ６と係合する可動刃７の脚部７ｂは、歯元の面に押されて搬送逆方向に回転するため、バネ９の付勢力に抗して可動刃７が固定刃８側に進出し、固定刃８と交差して噛み合うことにより印字媒体３４を切断するものである。切断された、印字されていない印字媒体３４は、操作者の手により切断発行口１０より取り去る。
さらに、印字位置に位置決めされた印字媒体３４は、サーマルヘッド３６により印字を施されつつ搬送方向（矢示Ｆ方向）へ所定の距離、搬送され、可動刃７および固定刃８の間に繰り出され、次いで、印字媒体３４の先端をサーマルヘッド３６に位置決めするため、プラテンローラ５を搬送逆方向（矢示Ｂ方向）に回転すると、プラテンローラ５と協働するワンウェイクラッチ６が搬送逆方向（矢示Ｂ方向）に回転し、ワンウェイクラッチ６と係合する可動刃７の脚部７ｂを介して可動刃７が固定刃８側に進出して印字媒体３４は切断される。切断された印字済みの印字媒体３４は、操作者の手により切断発行口１０より取り去る。
【００１１】
上述したように、切断装置本体４をプリンタ本体２の発行口３５近辺に装着した際、切断装置本体４の可動刃７の脚部７ｂがプリンタ本体２のワンウェイクラッチ６に係合するとともに、プラテンローラ５の搬送逆方向（矢示Ｂ方向）の回転に協動してワンウェイクラッチ６も搬送逆方向Ｂに回転し、ワンウェイクラッチ６の回転を介して可動刃７が進出して印字媒体３４を切断するため、切断装置本体４側に電源を供給する必要も、単独で電源を設ける必要もなく、安価に印字媒体３４の円滑な切断が図れる。
【００１２】
なお、上記実施の形態の構成及び動作は例であって、本発明の趣旨を逸脱しない範囲で適宜変更することができることは言うまでもない。また、上記構成部材の数、位置、形状等は上記実施の形態に限定されず、本発明を実施する上で好適な数、位置、形状等にすることができる。
【図面の簡単な説明】
【００１３】
【図１】本発明に係る携帯プリンタの外観を示す概略斜視図である。
【図２】同、外付けの切断装置本体を取付けた状態を示す図１相当の概略斜視図である。
【図３】同、図２中、矢示ＩＩＩ方向より見た要部拡大の概略側面図である。
【図４】同、切断装置本体の要部拡大の概略斜視図である。
【図５】従来の携帯プリンタの要部拡大の概略側面図である。
【符号の説明】
【００１４】
Ｆ    搬送方向
Ｂ    搬送逆方向
１    携帯プリンタ
２    プリンタ本体
３    嵌合孔
４    切断装置本体
５    プラテンローラ
６    ワンウェイクラッチ
７    可動刃
７ａ  可動刃プレート部
７ｂ  脚部
７ｃ  先端部（斜面部）
８    固定刃
９    バネ（付勢手段）
１０  切断発行口
１１  切断装置筐体
１２  嵌合突起部
３０  携帯プリンタ（従来）
３１  媒体供給部
３２  印字部
３３  用紙センサ
３３ａ  発光部
３３ｂ  受光部
３４  印字媒体
３５  発行口
３６  サーマルヘッド
３７  プラテンローラ
３８  手切り用カッタ
３９  ショルダーベルト
【図１】
2009214504.tif 000003
【図２】
2009214504.tif 000004
【図３】
2009214504.tif 000005
【図４】
2009214504.tif 000006
【図５】
2009214504.tif 000007